(57)【特許請求の範囲】
【請求項１】
各々が駆動スプロケット（２）と従動スプロケット（３）間に個別に掛け渡されて同期
駆動される平行配置の複数条の無端のコンベヤチェーン（４）と、そのコンベヤチェーン
（４）に所定ピッチで複数個取り付けて無端の搬送面を構成するデッキモジュール（１０
）を有し、
前記デッキモジュール（１０）がコンベヤの始端と終端で前記コンベヤチェーン（４）
と一緒に屈曲可能に構成され、そのデッキモジュール（１０）の搬送方向前部の左右又は
搬送方向前後部の左右が前記コンベヤチェーン（４）に着脱自在に取り付けられ、コンベ
ヤの往路で、このデッキモジュール（１０）が前記コンベヤチェーン（４）の各々によっ
て受け支えられるようにし、さらに、前記デッキモジュール（１０）に、前記コンベヤチェーン（４）のリンクプレート（４ｂ）の内側又は外側に沿わせる連結片（１１）を垂下して設け、その連結片（１１）と前記リンクプレート（４ｂ）に対応させて形成されたピン孔（１１ａ，４ｄ）に連結ピン（１２）を挿通して当該デッキモジュール（１０）をコンベチェーン（４）に取り付けた搬送コンベヤ。
【請求項２】
前記デッキモジュール（１０）として、複数個のデッキピース（６）を順次ヒンジ結合
させて一方向に連ならせたものを用いた請求項１に記載の搬送コンベヤ。
【請求項３】
前記連結ピン（１２）の外周にキー（１３）を設け、前記ピン孔（１１ａ，４ｄ）に前
記キーを通過させるキー溝（１４）を設け、前記キー溝（１４）を通り抜けた前記キー（
１３）を、前記連結ピン（１２）と前記ピン孔（１１ａ，４ｄ）の相対回転により前記キ
ー溝（１４）の無い位置で前記ピン孔（１１ａ，４ｄ）を有する前記リンクプレート（４
ｂ）又は前記連結片（１１）に係止させるようにした請求項１に記載の搬送コンベヤ。
【請求項４】
前記連結ピン（１２）の差し込み方向後部にクリップ部（１２ｂ）を設け、そのクリッ
プ部（１２ｂ）で前記デッキモジュール（１０）を挟みつけて当該連結ピンの戻り方向移
動に抵抗を加えた請求項１に記載の搬送コンベヤ。
【請求項５】
前記連結ピン（１２）の差し込み方向後部に曲げ戻し部（１２ｃ）を形成し、その曲げ
戻し部（１２ｃ）を、ピンの抜き差し方向移動が許容されるように前記デッキモジュール
（１０）に組み付けてばねで差し込み方向に付勢した請求項１に記載の搬送コンベヤ。
【発明の詳細な説明】
【技術分野】
【０００１】
この発明は、野菜や肉などの洗浄、殺菌、加熱、冷却と言った処理を流れ作業で連続的に行うときの搬送ラインとして好適な搬送コンベヤ、詳しくは、搬送面を構成する部材を簡易に取り外せるようにしてコンベヤの全域と周辺領域の洗浄を支障なく行えるようにした搬送コンベヤに関する。
【背景技術】
【０００２】
例えば、野菜を搬送しながら洗浄する場合、搬送装置としてベルトコンベヤ、ネットコンベヤ、エプロンコンベヤなどの搬送コンベヤが従来から用いられている。
【０００３】
また、ネットコンベヤについては、ネット受けレールを死角の無い状態で洗浄可能としたものが提案されている（下記特許文献１参照）。
【先行技術文献】
【特許文献】
【０００４】
【特許文献１】特開２００４−１１５１４２号公報
【発明の概要】
【発明が解決しようとする課題】
【０００５】
食品の搬送に利用されるコンベヤは、常に清潔さを保つことが要求され、その要求に応えるために周辺設備も含めた洗浄が定期的に行われる。その洗浄は、例えば、水槽の内部に設置される野菜などの洗浄ラインのコンベヤの場合、全体を水槽外に取り出して行っている。
【０００６】
このような面倒な方法を採っているのは、洗浄の死角となる箇所を減少させるためである。コンベヤが水槽内にあると、洗浄不可能な箇所や洗浄し難い箇所ができて全域の洗浄が行えず、また、コンベヤが障害物になって水槽の底や内側側面と言った周辺領域の洗浄も不十分になるので、その不具合を少しでも減少させるために、コンベヤの全体を水槽から取り出している。
【０００７】
しかしながら、この方法は作業が大掛りになり、コンベヤを吊上げるクレーンなどの設備も必要になる。また、コンベヤの全体を吊上げる必要があるので、作業の安全性にも問題が生じる。
【０００８】
また、作業が大掛りになるため、頻繁な洗浄も行い難い。加えて、搬送面がベルトやスラットバーで構成されたコンベヤであると、水槽外に取り出しても搬送面の裏側の洗浄が行い難く、全域を十分に洗浄するのが難しい。
【０００９】
なお、前記特許文献１のネットコンベヤは、ネット受けレールをコンベヤフレームに着脱自在に取り付け、それを取り外すことでネット受けレールの死角のない洗浄と、周辺機器やコンベヤフレームの洗浄の容易化を可能となしている。
【００１０】
このように、コンベヤを分解可能となす（一部の要素を着脱自在となす）ことで死角のない洗浄を行えるようになるが、ベルトコンベヤは分解洗浄ができない。また、多数のスラットバーを左右のコンベヤチェーンに定ピッチで取り付けて無端の搬送面を構成するコンベヤは、スラットバーを全て取り外さなければ要求に応えた洗浄が行えない。
【００１１】
スラットバーで搬送面を構成するコンベヤは、通常、バー取り付け用のアタッチメントを有する専用のコンベヤチェーンを用い、各スラットバーをコンベヤチェーンにボルト・ナットなどで個別に取り付けている。従って、洗浄はスラットバーを全て取り外して行う必要があり、大変な時間と労力を費やす。
【００１２】
この発明は、無端の搬送面を有する搬送コンベヤを、そのコンベヤの各部と周辺領域の洗浄が容易に、死角の無い状態で行えるものにすることを課題としている。
【課題を解決するための手段】
【００１３】
上記の課題を解決するため、この発明においては、搬送コンベヤを以下の通りに構成した。即ち、各々が駆動スプロケットと従動スプロケット間に個別に掛け渡されて同期駆動される平行配置の複数条の無端のコンベヤチェーンと、そのコンベヤチェーンに所定ピッチで複数個取り付けて無端の搬送面を構成するデッキモジュールを有し、
前記デッキモジュールが、コンベヤの始端と終端で前記コンベヤチェーンと一緒に屈曲可能に構成され、そのデッキモジュールの搬送方向前部の左右又は搬送方向前後部の左右が前記コンベヤチェーンに着脱自在に取り付けられ、コンベヤの往路で、このデッキモジュールが前記コンベヤチェーンの各々によって受け支えられるものにした。
【００１４】
前記デッキモジュールは、複数個のデッキピースを順次ヒンジ結合させて一方向に連ならせたものが好ましいが、ネットコンベヤのネットを所定長さに切断し、そのネットの必要箇所、例えば、搬送方向の前部と後部を補強して補強部位をコンベヤチェーンに取り付けるものであっても差し支えない。要は、コンベヤの方向転換がなされる始端と終端でコンベヤチェーンと一緒に屈曲できるものであればよい。
【００１５】
ここで言うデッキピースとは、順次ヒンジ結合されて無端の搬送面を形成する横長の履板状の部材であって、履板に似た特殊形状のチェーンリンクも含まれる。
【００１６】
複数個のデッキピースで構成されるデッキモジュール、ネットコンベヤのネットで構成されるデッキモジュールのどちらも、搬送方向前部の左右（幅方向両端近傍）をコンベヤチェーンに着脱自在に取り付ける。また、必要に応じて、搬送方向後部の左右端近傍もコンベヤチェーンに着脱自在に取り付ける。
【００１７】
コンベヤチェーンに対するデッキモジュールの取り付けは、デッキモジュールの必要箇
所にコンベヤチェーンのリンクプレートの内側や外側に沿わせる連結片を垂下して設け、
その連結片とリンクプレートに連結ピンを挿通して行う。
【００１８】
このときに用いる連結ピンには、ピン孔からの抜け止めを施す。その抜け止めは、連結ピンの抜き取り方向への移動をストッパなどで規制する方法で行える。その方法の具体例として、例えば、下記（１）〜（４）が考えられる。
【００１９】
（１）連結ピンの外周にキーを、前記ピン孔に前記キーを通過させるキー溝をそれぞれ設け、前記キー溝を通り抜けたキーを、連結ピンとピン孔を相対回転させてキー溝の無い位置でリンクプレート又は前記連結片に係止させる。
（２）連結ピンの差し込み方向後部にクリップ部を形成し、そのクリップ部でデッキモジュールを挟みつけて連結ピンの戻り方向移動に抵抗を加える。
（３）連結ピンの差し込み方向後部に曲げ戻し部を形成し、その曲げ戻し部を、ピンの抜き差し方向移動が許容されるようにデッキモジュールに組み付けてばねで差し込み方向に付勢し、そのばねの力で差し込み状態を保持する。
（４）コンベヤチェーンを支持するレールに連結ピンの後面（差し込み方向後方の端面）に対向するストッパを形成し、そのストッパで連結ピンの抜き取り方向への移動を規制する。
【００２０】
上記（１）の方法では、より好ましい態様として、前記キーを、係止相手（リンクプレート又は前記連結片）に形成された溝に係合させて係止状態を維持することや、連結ピンの差し込み方向前後のピン孔にそれぞれ形成されるキー溝の位相をずらして前記キーと連結ピン差し込み方向前後のキー溝の位相が同時に揃わないようにすることが考えられる。
【００２１】
なお、デッキモジュールの前部のみをコンベヤチェーンに取り付ける搬送コンベヤは、往路ではデッキモジュールの後部もコンベヤチェーンに支持されるが、復路ではデッキモジュールの後部がコンベヤチェーンから離れて垂れ下がるので、復路のデッキモジュールを水平姿勢に近い状態に傾けて案内する移動ガイドを設けると好ましい。
【００２２】
ここで言う往路は、搬送始端から搬送終端に向って搬送が行われる側、復路は搬送終端でターンして搬送始端に向って戻る側である。
【００２３】
このほか、傾斜配置にして使用する搬送コンベヤは、デッキピースを組み合わせたデッキモジュールを採用し、そのデッキモジュールの中のいくつかのデッキピースに搬送物を押し動かす羽根や桟を設けると好ましい。
【発明の効果】
【００２４】
この発明の搬送コンベヤは、コンベヤチェーンに対するデッキモジュールの連結を解くことでそのデッキモジュールを取り外すことができる。その取り外しは、デッキモジュールを１単位にしてコンベヤチェーンに取り付けているため、単体のスラットバーを個別にコンベヤチェーンに取り付けるコンベヤに比べて取り付け箇所を大幅に削減することができ、これにより作業の簡単化と迅速化が図れる。特に、デッキモジュールを連結ピンでコンベヤチェーンに取り付けるものは、連結と連結の解除が簡単で、作業の簡易化と迅速化の効果が大きい。
【００２５】
また、搬送面を構成するデッキモジュールを取り外すことで、搬送面の裏側（デッキモジュールの裏側）と、コンベヤの下や側部に隠れていた周辺領域の面を容易に確実に洗浄することが可能になり、洗浄の容易化と死角の無い洗浄の目的が達成される。
【００２６】
なお、デッキモジュールの搬送方向前部のみをコンベヤチェーンに取り付ける搬送コンベヤは、デッキモジュールの着脱の手間の削減効果が大きい。
【００２７】
また、デッキモジュールの搬送方向前後部を共にコンベヤチェーンに着脱自在に取り付ける搬送コンベヤは、着脱の手間は前者よりも増えるが、復路でのデッキモジュールの垂れ下がりが起こらない利点がある。
【００２８】
さらに、デッキモジュールを複数個のデッキピースで構成する搬送コンベヤは、ネットのデッキモジュールを用いるコンベヤに比べて安定性のよい搬送面を作り出すことができる。
【００２９】
デッキモジュールのコンベヤチェーンに対する取り付けを連結ピンで行うコンベヤで前記（１）〜（４）の方法を採用して連結ピンを抜け止めするものは、コンベヤチェーンに対するデッキモジュールの取り付けが安定する。
【図面の簡単な説明】
【００３０】
【図１】この発明の搬送コンベヤの一例を簡略化して示す側面図
【図２】図１の一部を拡大して示す側面図
【図３】コンベヤチェーンの一例を示す斜視図
【図４】図１のIV−IV線に沿った位置の拡大断面図
【図５】デッキピースの一例を示す斜視図
【図６】図５のデッキピースで構成されたデッキモジュールの斜視図
【図７】図６のデッキモジュールの側面図
【図８】（ａ）：デッキモジュールの他の例を示す平面図、（ｂ）：同デッキモジュールの側面図
【図９】デッキモジュールのさらに他の例を示す斜視図
【図１０】連結ピンの抜け止め処理の一例を示す斜視図
【図１１】図１０の抜け止め処理で連結ピン差し込み方向前後のピン孔に形成されるキー溝の位相を異ならせた例を示す斜視図
【図１２】回転操作用のレバーを設けた連結ピンの斜視図
【図１３】連結ピンの抜け止め処理の他の例を示す断面図
【図１４】連結ピンの抜け止め処理のさらに他の例を示す断面図
【図１５】連結ピンの抜け止め処理のさらに他の例を示す断面図
【図１６】デッキモジュールの前部のみをコンベヤチェーンに取り付けた搬送コンベヤの一例を示す側面図
【発明を実施するための形態】
【００３１】
以下、添付図面の図１〜図１６に基づいて、この発明の搬送コンベヤの実施の形態を説明する。図１〜図７は、この発明の搬送コンベヤの第１形態を示している。
【００３２】
この搬送コンベヤ１は、駆動スプロケット２、従動スプロケット３、これ等のスプロケット２，３間に掛け渡すコンベヤチェーン４、往路のコンベヤチェーン４を支持するレール５及び複数のデッキピース６を組み合わせたデッキモジュール１０を有している。そのデッキモジュール１０をコンベヤチェーン４に着脱自在に取り付けて搬送面を構成している。
【００３３】
駆動スプロケット２は、減速機付きモータ（図示せず）などの駆動源によって回転駆動される。この駆動スプロケット２と従動スプロケット３を、左右対称に２組設け、各組の駆動スプロケット２と従動スプロケット３間にそれぞれ無端のコンベヤチェーン４を平行配置にして掛け渡している。
【００３４】
例示のコンベヤチェーン４は、図３に示すように、摺動抵抗を低減する転動ローラ４ａを備える。リンクプレート４ｂには、垂直に起立したアタッチメント４ｃを数ピッチおきに形成しており、そのアタッチメント４ｃに設けたピン孔４ｄを利用してデッキモジュール１０をコンベヤチェーン４に取り付けている。
【００３５】
ピン孔４ｄは、スプロケットの歯が噛み合わないリンクがあれば、アタッチメント４ｃを省いてそのリンクに直接形成しても構わない。
【００３６】
例示のデッキモジュール１０は、図５に示すようなデッキピース、即ち、偏平横長の本体部６ａの前後にヒンジ部６ｂ、６ｃを形成したデッキピース６を採用している。ヒンジ部６ｂ、６ｃは、一方のヒンジ部が他方のヒンジ部間の凹部に入り込むように互いの位置をずらしている。
【００３７】
これ等のヒンジ部には、貫通したピン孔６ｄが設けられている。そのピン孔６ｄの一方は、後述する連結ピンが遊嵌される孔になっており、その遊嵌により、後述するデッキモジュールに前後方向の伸縮代が付与されてデッキモジュールが搬送路のターン部で支障なく屈曲できるようになっている。
【００３８】
そのデッキピース６を図６に示すように縦列に並べ、前後のデッキピース６のヒンジ部６ｂ、６ｃを互いに噛み合わせて図７に示すように、ピン孔６ｄにヒンジピン７を挿入し、それを繰り返して所要数のデッキピース６を連結する。そして、先頭および後尾のデッキピース６の両端下部に、取り付け要素となす連結片１１を設けて図示のデッキモジュール１０を形成している。このデッキモジュール１０をコンベヤチェーン４に取り付け、一方向に並べたデッキモジュール１０で搬送面を構成する。このとき、搬送方向前後のデッキモジュール同士は連結しない。従って、各デッキモジュール１０の最前部のデッキピースは前側のヒンジ部が、最後部のデッキピースは後側のヒンジ部がともに省かれたものでよい。
【００３９】
連結片１１は、垂下した板状部品であり、リンクプレート４ｂの内側や外側に沿う位置に設けている。この連結片１１には、アタッチメントのピン孔４ｄに対応させたピン孔１１ａが形成される。そのピン孔１１ａとアタッチメントのピン孔４ｄに連結ピン１２を通して図４に示すように、デッキモジュール１０をコンベヤチェーン４に取り付ける。
【００４０】
デッキモジュール１０は、図８に示すようなものであってもよい。図８のデッキモジュール１０は、ネットコンベヤ用のネット８を所定長さに切断し、そのネット８の必要箇所（図のそれは搬送方向の前部と後部）に補強材９を取り付け、その補強材９の下部にピン孔１１ａを有する取り付け用の連結片１１を設けている。
【００４１】
この図８のデッキモジュール１０も、前後の両端の計４箇所をコンベヤチェーン４に取り付ければ、安定した搬送面を形成することができる。
【００４２】
デッキピースで構成されるデッキモジュールについては、図９に示すように、必要に応じていくつかのデッキピース６に、搬送物を押し動かす起立した羽根６ｅを設けることができる。また、洗浄用途のコンベヤでは、デッキピース６に水切り用の孔や溝（図示せず）を設けることができる。
【００４３】
デッキモジュール１０をコンベヤチェーン４に取り付ける連結ピン１２には、抜け止めを施す。その抜け止めの具体例を図１０〜図１５に示す。
【００４４】
図１０の抜け止め処理は、連結ピン１２の外周にキー１３を設け、ピン孔４ｄ，１１ａには、キー１３を通過させるキー溝１４を設け、そのキー溝１４を通り抜けたキー１３を、連結ピン１２を回転させてキー１３が最後に通り抜けたリンクプレート４ｂ又は連結片１１に係止させる。
【００４５】
この方法では、ピン孔４ｄと１１ａのいずれか一方を連結ピン１２の差し込み方向前後にそれぞれ設け、図１１に示すように、連結ピン差し込み方向前後のピン孔にそれぞれ形成されるキー溝１４の位相を異ならせるのがよい。
【００４６】
図１２に示す回転操作用のレバー１２ａを設けた連結ピン１２は、レバー１２ａが重みで垂れ下がることから往路、復路で同一姿勢を保つ。これに対し、連結ピン１２を通したピン孔４ｄと１１ａは、復路から往路に、或いは復路から往路に移るときに１８０度回転し、これが原因でキー１３とキー溝１４の位相が一致することが考えられる。
【００４７】
この問題に対して、上述したように、連結ピン差し込み方向前後のキー溝の位相を異ならせたものは、キー１３と連結ピン差し込み方向前後のキー溝１４の位相が同時に揃うことがなくなり、連結ピン１２の不測の回転によりキーとキー溝の位相が一致して連結ピンが一気に抜けると言う不具合が起こらない。
【００４８】
連結ピンに設けた凸部を係止相手に形成された溝に係合させてその位置で連結ピンの回転を止めるのも連結ピンの抜け防止に有効である。この方法は、キー１３を前記凸部として利用することができる。
【００４９】
図１３の抜け止め処理は、連結ピン１２の後部にクリップ部１２ｂを形成し、そのクリップ部１２ｂでデッキモジュール１０を挟みつけて連結ピンの戻り方向移動に抵抗を加える。
【００５０】
また、図１４の抜け止め処理は、連結ピン１２の後部に曲げ戻し部１２ｃを形成し、その曲げ戻し部１２ｃをデッキモジュール１０の上面に固定したスリーブ１２ｄにスライド可能に組み込み、スリーブ１２ｄに内蔵したばね１２ｅで連結ピン１２を差し込み方向に付勢する。この方法でも、ピン孔に対する連結ピン１２の差し込み状態を維持することができる。
【００５１】
図１５の抜け止め処理は、レール支持部１５に、連結ピン１２の後面に対向するストッパ１５ａを形成し、そのストッパ１５ａで連結ピンの抜き取り方向への移動を規制する。ストッパ１５ａは、レール支持部１５をＬ型鋼（アングル）で形成してそのＬ型鋼の一部で作り出すことができる。なお、この方法を採用するコンベヤは、ストッパ１５ａを有するレール支持部１５を、復路と始端、終端のターン部にも配置し、適当な位置でレール支持部１５を切り欠いてその位置で連結ピンを抜き差しする。
【００５２】
図１６は、デッキモジュール１０の前部のみをコンベヤチェーン４に取り付けた搬送コンベヤの一例である。このコンベヤは、往路では、デッキモジュール１０の後部もコンベヤチェーン４によって受け支えられる。
【００５３】
しかしながら、復路においては、コンベヤチェーン４によるデッキモジュール１０の搬送方向後部の支持が解かれる。そこで、復路にデッキモジュール１０を水平姿勢に近い態に傾けて案内する移動ガイド１６を代替の支持要素として設けている。その移動ガイド１６の働きで、コンベヤチェーン４に固定されていないデッキモジュール１０の後部がコンベヤチェーンから大きく離れて垂れ下がることが防止される。
【００５４】
以上述べたように、この発明の搬送コンベヤは、複数個のデッキピースを順次ヒンジ結合させたデッキモジュールや所定長さのネットで構成されるデッキモジュールを連続的に連ならせて無端の搬送面を形成している。そして、１つのデッキモジュールを一単位にしてそのデッキモジュールの数箇所をコンベヤチェーンに取り付け、そのことで、スラットバーを個々にコンベヤチェーンに取り付ける形態に比べて取り付け箇所を大幅に削減している。
【００５５】
そのために、時間と労力を無駄に費やさずにデッキモジュールを取り外すことができ、デッキモジュールを外すことで搬送面の裏側と、コンベヤの下や側部に隠れていた周辺領域を容易に確実に死角の無い状態に洗浄することが可能になる。
【００５６】
特に、デッキモジュールの取り付けを、ピン孔に対して抜き差し自在の連結ピンを用いて行うものは、連結と連結の解除が簡単であり、頻繁な清掃が要求されるときに有利となる。
【符号の説明】
【００５７】
１          搬送コンベヤ
２          駆動スプロケット
３          従動スプロケット
４          コンベヤチェーン
４ａ        転動ローラ
４ｂ        リンクプレート
４ｃ        アタッチメント
４ｄ        ピン孔
５          レール
６          デッキピース
６ａ        本体部
６ｂ，６ｃ  ヒンジ部
６ｄ        ピン孔
６ｅ        羽根
７          ヒンジピン
８          ネット
９          補強材
１０        デッキモジュール
１１        連結片
１１ａ      ピン孔
１２        連結ピン
１２ａ      レバー
１２ｂ      クリップ部
１２ｃ      曲げ戻し部
１２ｄ      スリーブ
１２ｅ      ばね
１３        キー
１４        キー溝
１５        レール支持部
１５ａ      ストッパ
１６        移動ガイド
【図１】
0005661440.tif 000002
【図２】
0005661440.tif 000003
【図３】
0005661440.tif 000004
【図４】
0005661440.tif 000005
【図５】
0005661440.tif 000006
【図６】
0005661440.tif 000007
【図７】
0005661440.tif 000008
【図８】
0005661440.tif 000009
【図９】
0005661440.tif 000010
【図１０】
0005661440.tif 000011
【図１１】
0005661440.tif 000012
【図１２】
0005661440.tif 000013
【図１３】
0005661440.tif 000014
【図１４】
0005661440.tif 000015
【図１５】
0005661440.tif 000016
【図１６】
0005661440.tif 000017